(57)【要約】【課題】店舗側の管理作業負担を増大させることなく複数の商品の宣伝を可能とする販売促進支援システムの提供。【解決手段】動画加工装置１とサーバ５と店舗に設置された動画再生装置３とを備え、動画加工装置１は、販売促進用の動画が記録された記録媒体から、動画データを読取って販売促進用動画ファイルに加工し、複数の販売促進用動画ファイルからなるファイル群をサーバ５に送信し、動画再生装置３は、サーバ５からファイル群を受信し、ファイル群内の各販売促進用動画ファイルを再生する販売促進支援システムＳ１。【選択図】図１
2009060516.tif 000002
【特許請求の範囲】
【請求項１】
動画加工装置と、前記動画加工装置に接続されたサーバと、前記サーバに接続されるとともに店舗に設置された動画再生装置とを備え、
前記動画加工装置は、
販売促進用の動画が記録された記録媒体から、該動画のデータ（以下、「動画データ」という。）を読取る手段と、
前記動画データを、前記動画再生装置で再生可能な所定の形式と所定の再生時間とを有する販売促進用動画ファイルに加工する手段と、
複数の前記販売促進用動画ファイルからなるファイル群を、前記サーバに送信する手段とを有し、
前記サーバは、
前記動画加工装置から受信した前記ファイル群を記憶する手段と、
前記ファイル群を前記動画再生装置に送信する手段とを有し、
前記動画再生装置は、
前記サーバから前記ファイル群を受信する手段と、
前記ファイル群内の前記各販売促進用動画ファイルを再生する手段とを有する
ことを特徴とする販売促進支援システム。
【請求項２】
前記動画再生装置は、
開始時刻と終了時刻とを設定するためのタイマ手段を有し、
前記開始時刻に前記サーバから前記ファイル群を受信して前記各販売促進用動画ファイルの再生を開始し、又は、予め前記サーバから前記ファイル群を受信しておいて前記開始時刻に前記各販売促進用動画ファイルの再生を開始し、
前記終了時刻に前記各販売促進用動画ファイルの再生を終了する
ことを特徴とする請求項１記載の販売促進支援システム。
【請求項３】
サーバに接続された動画加工装置であって、
販売促進用の動画が記録された記録媒体から、該動画データを読取る手段と、
前記動画データを、所定の形式及び所定の再生時間を有する販売促進用動画ファイルに加工する手段と、
複数の前記販売促進用動画ファイルからなるファイル群を、前記サーバに送信する手段と、
を有することを特徴とする動画加工装置。
【請求項４】
動画加工装置と、店舗に設置された動画再生装置とを備え、
前記動画加工装置は、
販売促進用の動画が記録された記録媒体から、該動画データを読取る手段と、
前記動画データを、前記動画再生装置で再生可能な所定の形式及び所定の再生時間を有する販売促進用動画ファイルに加工する手段と、
前記販売促進用動画ファイルを動画再生装置用記録媒体に記録することにより、複数の前記販売促進用動画ファイルが記録された前記動画再生装置用記録媒体を作成する手段とを有し、
前記動画再生装置は、
前記動画再生装置用記録媒体から前記各販売促進用動画ファイルを読取る手段と、
前記各販売促進用動画ファイルを再生する手段とを有する
ことを特徴とする販売促進支援システム。
【請求項５】
前記動画再生装置は、
開始時刻と終了時刻とを設定するためのタイマ手段を有し、
前記開始時刻に前記各販売促進用動画ファイルの読取りと再生を開始し、又は、予め前記各販売促進用動画ファイルを読取っておいて前記開始時刻に前記各販売促進用動画ファイルの再生を開始し、
前記終了時刻に前記各販売促進用動画ファイルの再生を終了する
ことを特徴とする請求項４記載の販売促進支援システム。
【請求項６】
販売促進用の動画が記録された記録媒体から、該動画データを読取る手段と、
前記動画データを、所定の形式及び所定の再生時間を有する販売促進用動画ファイルに加工する手段と、
前記販売促進用動画ファイルを動画再生装置用記録媒体に記録することにより、複数の前記販売促進用動画ファイルが記録された前記動画再生装置用記録媒体を作成する手段と、
を有することを特徴とする動画加工装置。
【請求項７】
記憶装置と通信装置と記録媒体の読取装置とを備えた動画加工装置と、
記憶装置と通信装置とを備え前記動画加工装置に接続されたサーバと、
記憶装置と通信装置と表示装置とを備え前記サーバに接続されるとともに店舗に設置された動画再生装置と、
を用いた販売促進支援方法であって、
前記動画加工装置が、販売促進用の動画が記録された前記記録媒体から該動画データを前記読取装置により読取って、前記動画加工装置の前記記憶装置に記憶するステップと、
前記動画加工装置が、前記動画加工装置の前記記憶装置に記憶した前記動画データを、前記動画再生装置で再生可能な所定の形式と所定の再生時間とを有する販売促進用動画ファイルに加工するステップと、
前記動画加工装置が、複数の前記販売促進用動画ファイルからなるファイル群を、前記動画加工装置の前記通信装置により前記サーバに送信するステップと、
前記サーバが、前記動画加工装置から前記ファイル群を前記サーバの前記通信装置により受信し、前記サーバの前記記憶装置に記憶するステップと、
前記サーバが、前記ファイル群を前記サーバの前記通信装置により前記動画再生装置に送信するステップと、
前記動画再生装置が、前記サーバから前記ファイル群を前記動画再生装置の前記通信装置により受信して、前記動画再生装置の前記記憶装置に記憶するステップと、
前記動画再生装置が、前記動画再生装置の前記記憶装置に記憶した前記ファイル群内の前記各販売促進用動画ファイルを、前記表示装置に再生するステップと、
を有することを特徴とする販売促進支援方法。
【請求項８】
記憶装置と記録媒体の読取装置と動画再生装置用記録媒体の書込装置とを備えた動画加工装置と、
記憶装置と表示装置と前記動画再生装置用記録媒体の読取装置とを備え店舗に設置された動画再生装置と、
を用いた販売促進支援方法であって、
前記動画加工装置が、販売促進用の動画が記録された前記記録媒体から、該動画データを前記動画加工装置の前記読取装置により読取って、前記動画加工装置の前記記憶装置に記憶するステップと、
前記動画加工装置が、前記動画加工装置の前記記憶装置に記憶した前記動画データを、前記動画再生装置で再生可能な所定の形式及び所定の再生時間を有する販売促進用動画ファイルに加工するステップと、
前記動画加工装置が、前記販売促進用動画ファイルを前記書込装置により前記動画再生装置用記録媒体に記録することにより、複数の前記販売促進用動画ファイルが記録された前記動画再生装置用記録媒体を作成するステップと、
前記動画再生装置が、前記動画再生装置の前記読取装置により、前記動画再生装置用記録媒体から前記各販売促進用動画ファイルを読取るステップと、
前記動画再生装置が、前記各販売促進用動画ファイルを前記表示装置に再生するステップと、
を有することを特徴とする販売促進支援方法。
【発明の詳細な説明】
【技術分野】
【０００１】
本発明は、大規模小売店舗等において動画再生装置を用いて商品の販売促進を支援する販売促進支援システム及び方法に関する。
【背景技術】
【０００２】
従来から、小売店舗において商品の販売コーナーに、ビデオテープやＤＶＤ（Digital Versatile Disc、Digital Video Disc）の再生装置を設置し、そのコーナーで販売されている商品の宣伝広告が記録されたビデオテープやＤＶＤを再生して、商品の宣伝広告を映像（動画）で消費者に見せることにより、販売促進を支援することが行われている。
【０００３】
なお、先行技術文献調査は行っていないので、記載すべき先行技術文献情報は無い。
【発明の開示】
【発明が解決しようとする課題】
【０００４】
しかし、大規模小売店舗等、多種多様な商品を販売している店舗では、宣伝したい商品毎に再生装置を設置すると、再生装置の台数が多くなって店舗側の管理作業負担が大きくなり、一方、１台の再生装置で複数の商品の宣伝を行おうとすると、ビデオテープやＤＶＤの差替えを頻繁に行うことが必要となり、やはり店舗側の管理作業負担が大きくなるという問題があった。
【０００５】
この発明は、上述した問題を解決するものであり、店舗側の管理作業負担を増大させることなく複数の商品の宣伝が可能な、動画再生装置を用いた販売促進支援システム及び方法を提供することを目的とする。
【課題を解決するための手段】
【０００６】
請求項１記載の販売促進支援システムは、動画加工装置と、前記動画加工装置に接続されたサーバと、前記サーバに接続されるとともに店舗に設置された動画再生装置とを備え、前記動画加工装置は、販売促進用の動画が記録された記録媒体から、該動画のデータ（以下、「動画データ」という。）を読取る手段と、前記動画データを、前記動画再生装置で再生可能な所定の形式と所定の再生時間とを有する販売促進用動画ファイルに加工する手段と、複数の前記販売促進用動画ファイルからなるファイル群を、前記サーバに送信する手段とを有し、前記サーバは、前記動画加工装置から受信した前記ファイル群を記憶する手段と、前記ファイル群を前記動画再生装置に送信する手段とを有し、前記動画再生装置は、前記サーバから前記ファイル群を受信する手段と、前記ファイル群内の前記各販売促進用動画ファイルを再生する手段とを有することを特徴とする。
【０００７】
請求項２記載の販売促進支援システムは、請求項１記載の販売促進支援システムにおいて、前記動画再生装置が、開始時刻と終了時刻とを設定するためのタイマ手段を有し、前記開始時刻に前記サーバから前記ファイル群を受信して前記各販売促進用動画ファイルの再生を開始し、又は、予め前記サーバから前記ファイル群を受信しておいて前記開始時刻に前記各販売促進用動画ファイルの再生を開始し、前記終了時刻に前記各販売促進用動画ファイルの再生を終了することを特徴とする。
【０００８】
請求項３記載の動画加工装置は、サーバに接続された動画加工装置であって、販売促進用の動画が記録された記録媒体から、該動画データを読取る手段と、前記動画データを、所定の形式及び所定の再生時間を有する販売促進用動画ファイルに加工する手段と、複数の前記販売促進用動画ファイルからなるファイル群を、前記サーバに送信する手段と、を有することを特徴とする。この動画加工装置は、請求項１又は２記載の販売促進支援システムに適したものである。
【０００９】
請求項４記載の販売促進支援システムは、動画加工装置と、店舗に設置された動画再生装置とを備え、前記動画加工装置は、販売促進用の動画が記録された記録媒体から、該動画データを読取る手段と、前記動画データを、前記動画再生装置で再生可能な所定の形式及び所定の再生時間を有する販売促進用動画ファイルに加工する手段と、前記販売促進用動画ファイルを動画再生装置用記録媒体に記録することにより、複数の前記販売促進用動画ファイルが記録された前記動画再生装置用記録媒体を作成する手段とを有し、前記動画再生装置は、前記動画再生装置用記録媒体から前記各販売促進用動画ファイルを読取る手段と、前記各販売促進用動画ファイルを再生する手段とを有することを特徴とする。
【００１０】
請求項５記載の販売促進支援システムは、請求項４記載の販売促進支援システムにおいて、前記動画再生装置が、開始時刻と終了時刻とを設定するためのタイマ手段を有し、前記開始時刻に前記各販売促進用動画ファイルの読取りと再生を開始し、又は、予め前記各販売促進用動画ファイルを読取っておいて前記開始時刻に前記各販売促進用動画ファイルの再生を開始し、前記終了時刻に前記各販売促進用動画ファイルの再生を終了することを特徴とする。
【００１１】
請求項６記載の動画加工装置は、販売促進用の動画が記録された記録媒体から、該動画データを読取る手段と、前記動画データを、所定の形式及び所定の再生時間を有する販売促進用動画ファイルに加工する手段と、前記販売促進用動画ファイルを動画再生装置用記録媒体に記録することにより、複数の前記販売促進用動画ファイルが記録された前記動画再生装置用記録媒体を作成する手段と、を有することを特徴とする。この動画加工装置は、請求項４又は５記載の販売促進支援システムに適したものである。
【００１２】
請求項７記載の販売促進支援方法は、記憶装置と通信装置と記録媒体の読取装置とを備えた動画加工装置と、記憶装置と通信装置とを備え前記動画加工装置に接続されたサーバと、記憶装置と通信装置と表示装置とを備え前記サーバに接続されるとともに店舗に設置された動画再生装置と、を用いた販売促進支援方法であって、前記動画加工装置が、販売促進用の動画が記録された前記記録媒体から該動画データを前記読取装置により読取って、前記動画加工装置の前記記憶装置に記憶するステップと、前記動画加工装置が、前記動画加工装置の前記記憶装置に記憶した前記動画データを、前記動画再生装置で再生可能な所定の形式と所定の再生時間とを有する販売促進用動画ファイルに加工するステップと、前記動画加工装置が、複数の前記販売促進用動画ファイルからなるファイル群を、前記動画加工装置の前記通信装置により前記サーバに送信するステップと、前記サーバが、前記動画加工装置から前記ファイル群を前記サーバの前記通信装置により受信し、前記サーバの前記記憶装置に記憶するステップと、前記サーバが、前記ファイル群を前記サーバの前記通信装置により前記動画再生装置に送信するステップと、前記動画再生装置が、前記サーバから前記ファイル群を前記動画再生装置の前記通信装置により受信して、前記動画再生装置の前記記憶装置に記憶するステップと、前記動画再生装置が、前記動画再生装置の前記記憶装置に記憶した前記ファイル群内の前記各販売促進用動画ファイルを、前記表示装置に再生するステップと、を有することを特徴とする。
【００１３】
請求項８記載の販売促進支援方法は、記憶装置と記録媒体の読取装置と動画再生装置用記録媒体の書込装置とを備えた動画加工装置と、記憶装置と表示装置と前記動画再生装置用記録媒体の読取装置とを備え店舗に設置された動画再生装置と、を用いた販売促進支援方法であって、前記動画加工装置が、販売促進用の動画が記録された前記記録媒体から、該動画データを前記動画加工装置の前記読取装置により読取って、前記動画加工装置の前記記憶装置に記憶するステップと、
前記動画加工装置が、前記動画加工装置の前記記憶装置に記憶した前記動画データを、前記動画再生装置で再生可能な所定の形式及び所定の再生時間を有する販売促進用動画ファイルに加工するステップと、前記動画加工装置が、前記販売促進用動画ファイルを前記書込装置により前記動画再生装置用記録媒体に記録することにより、複数の前記販売促進用動画ファイルが記録された前記動画再生装置用記録媒体を作成するステップと、前記動画再生装置が、前記動画再生装置の前記読取装置により、前記動画再生装置用記録媒体から前記各販売促進用動画ファイルを読取るステップと、前記動画再生装置が、前記各販売促進用動画ファイルを前記表示装置に再生するステップと、を有することを特徴とする。
【発明の効果】
【００１４】
本発明の販売促進支援システム及び方法によれば、動画加工装置が、複数の販売促進用動画ファイルからなるファイル群を作成してサーバに送信し、又は、複数の販促用動画ファイルが記録された動画再生装置用記録媒体を作成する。そして、動画再生装置が、サーバからファイル群を受信し、又は、動画再生装置用記録媒体から複数の販売促進用動画ファイルを読込んで、各販売促進用動画ファイルを再生する。したがって、１台の動画再生装置で、動画再生装置用記録媒体の差替えを行うことなく複数の販売促進用動画を再生可能である。このため、店舗側の管理作業負担を増大させることなく複数の商品の宣伝が可能である。
【発明を実施するための最良の形態】
【００１５】
〈第１実施形態〉本発明の第１実施形態である販売促進支援システムＳ１について、図面に基づいて説明する。
【００１６】
図１に示すように、販売促進支援システム（以下、「システム」と略す。）Ｓ１は、動画加工装置１と、動画加工装置１にインターネットを介して接続されたサーバ５と、サーバ５にインターネットを介して接続された複数の動画再生装置３とから構成されている。各動画再生装置３は店舗内に設置されている。本実施形態では、各店舗に１つの動画再生装置３を設置しているが、１つの店舗の各フロアに設置する等、１つの店舗に複数の動画再生装置３を設置してもよい。
【００１７】
システムＳ１では、販売促進用の動画が記録された記録媒体（以下、動画再生装置用記録媒体と区別するために、「元データ記録媒体」という。）として、ビデオテープ、ＤＶＤ、及び、ＳＤカードを使用可能である。システムＳ１は、図２に示すように、元データ記録媒体に記録された動画を、動画加工装置１で販売促進用動画ファイル（以下、「販促用ファイル」と略す。）に加工して、その販促用ファイルをサーバ５に送信（アップロード）し、動画再生装置３がサーバ５から販促用ファイルを受信（ダウンロード）して、再生するものである（図２の矢印Ａの流れ）。
【００１８】
動画加工装置１は、コンピュータ及びそのコンピュータに接続された種々の機器からなる。詳しくは、動画加工装置１は、図３に示すように、ＣＰＵ１１、ＣＰＵ１１のワークエリアとなるＲＡＭ１３、固定データを格納したＲＯＭ１２等から構成された処理装置１０、及び、処理装置１０に入出力インタフェース（Ｉ／Ｏ）１５を介して接続された記憶装置１４を備え、さらに、処理装置１０及び記憶装置１４に入出力インタフェース１５を介してそれぞれ接続された、マウス１６、キーボード１７、ＣＦカードリーダライタ１８、ビデオテープ読取装置１９、ＤＶＤ読取装置２０、ディスプレイ２１、ＬＡＮアダプタ２２、ＳＤカードリーダ２３、及び、ビデオキャプチャー２４を備えている。なお、システムＳ１では、動画加工装置１は、ＣＦカードリーダライタ１８を備えないものであってもよい。ＣＦカードとは、コンパクトフラッシュ（サンディスク社の商標又は登録商標。）である。
【００１９】
記憶装置１４は、ハードディスク装置からなり、ＯＳ（オペレーティング・システム）と動画加工プログラムとを記憶している。処理装置１０は、この動画加工プログラムに従って動作することにより、記憶装置１４と協働して、動画データを所定の形式及び所定の再生時間を有する販促用ファイルに加工する手段として機能する。
【００２０】
ビデオテープ読取装置１９及びＤＶＤ読取装置２０は、ビデオキャプチャー２４に接続され、ビデオキャプチャー２４と共に、ビデオテープやＤＶＤから動画データを読取る（読込む）手段として機能する。ＳＤカードリーダ２３は、ＳＤカードから動画データを読取る手段として機能する。ビデオテープ読取装置１９、ＤＶＤ読取装置２０、ビデオキャプチャー２４、及び、ＳＤカードリーダ２３は、元データ記録媒体の読取装置に相当する。
【００２１】
ＬＡＮアダプタ２２は、ルータを介してインターネットに接続され、動画加工装置１とサーバ５との交信を可能とするものであり、通信装置に相当する。ＬＡＮアダプタ２２は、処理装置１０と協働して、複数の販促用ファイルからなるファイル群をサーバ５に送信する手段として機能する。
【００２２】
動画再生装置３は、図４に示すように、ＣＰＵ３１、ＣＰＵ３１のワークエリアとなるＲＡＭ３３、固定データを格納したＲＯＭ３２等から構成された処理装置３０と、処理装置３０に入出力インタフェース（Ｉ／Ｏ）３５を介して接続された記憶装置３４とを備えるとともに、処理装置３０及び記憶装置３４に入出力インタフェース３５を介してそれぞれ接続された、タイマ３６、ＣＦカードリーダ３７、ディスプレイ３８、及び、ＬＡＮアダプタ３９を備えている。動画再生装置３としては、例えば、Seeyoo Electronic & Technological社のSY1906 LCD AD Display (RJ custom)を用いることができる。なお、システムＳ１では、動画再生装置３は、ＣＦカードリーダ３７を備えないものであってもよい。
【００２３】
記憶装置３４は、ハードディスク装置からなり、ＯＳと動画再生プログラムとを記憶しており、この動画再生プログラムに従って処理装置３０が動作することにより、処理装置３０はディスプレイ３８と協働して、ファイル群内の各販促用ファイルを再生する手段として機能する。ディスプレイ３８は、液晶ディスプレイであり、表示装置に相当する。
【００２４】
ＬＡＮアダプタ３９は、ルータを介してインターネットに接続され、動画再生装置３とサーバ５との交信を可能とするものであり、通信装置に相当する。ＬＡＮアダプタ３９は、処理装置３０と協働して、ファイル群をサーバ５から受信する手段として機能する。
【００２５】
タイマ３６は、開始時刻と終了時刻とを設定するためのタイマ手段として機能するものであり、ユーザが任意の開始時刻及び終了時刻を入力するための入力部と、入力された開始時刻及び終了時刻を記憶する記憶部とを有し、開始時刻にＯＮ信号の出力を開始して、終了時刻までＯＮ信号の出力を継続し、終了時刻にＯＮ信号の出力を終了するように構成されている。
【００２６】
サーバ５は、一般的なサーバコンピュータであり、図示はしないが、ＣＰＵ、ＲＡＭ、ＲＯＭ等よりなる処理装置と、ハードディスク装置よりなる記憶装置と、インターネットに接続された通信装置とを有している。そして、サーバ５の記憶装置は、動画加工装置１から受信したファイル群を記憶する手段として機能し、サーバ５の通信装置は、処理装置と協働して、ファイル群を動画再生装置３に送信する手段として機能する。
【００２７】
以上のように構成されたシステムＳ１の動作について、次に説明する。
【００２８】
《動画加工処理》動画加工装置１が行う動画加工処理について、元データ記録媒体の種類別に説明する。
【００２９】
〔ビデオテープの場合〕元データ記録媒体がビデオテープの場合、動画加工装置１は図５に従って動作する。オペレータは、元データ記録媒体であるビデオテープをビデオテープ読取装置１９に挿入する（ステップＳ１０１）。すると、ビデオテープ読取装置１９は、そのビデオテープからすべての動画データを読取ってビデオキャプチャー２４に渡し、ビデオキャプチャー２４は、動画データをMPEG2形式に変換する。動画加工装置１は、変換された動画データを記憶装置１４に記憶する（動画データの読込み）（Ｓ１０２）。
【００３０】
なお、ビデオテープ読取装置１９は、ビデオテープに記録されている信号に基づいて、動画が記録されている部分か否かを判断する。また、ビデオキャプチャー２４は、空白域（すなわち、録画されていない部分）から次の空白域までを一連の動画データとして１つのMPEG2ファイルに変換する。したがって、ビデオテープから読取った動画データが空白域により複数に分けられる場合には、ビデオキャプチャー２４は、複数のMPEG2ファイルを作成する。
【００３１】
次に、動画加工装置１は読込んだ動画データ（すなわち、MPEG2ファイルに変換された動画データ）を、順次、販促用ファイルに加工する（Ｓ１０３〜１０５）。詳しくは、未処理の（すなわち、未だ販促用ファイルに加工していない）動画データがあるか否かを判断し（Ｓ１０３）、未処理の動画データがあれば、その動画データを所定の形式と所定の再生時間とを有する販促用ファイルに加工して（Ｓ１０４）、その販促用ファイルにファイル名を付加し（Ｓ１０５）、未処理の動画データがなければ、動画加工処理を終える。
【００３２】
ここで、所定の形式とは、圧縮形式をMPEG2、１フレームのサイズを1,280×1,024ドット、色数を16.7万色、１フレームの縦横比を４：３、フレーム数を２５枚／秒とする。これら圧縮形式、１フレームのサイズ及び縦横比、色数、及び、フレーム数は、Adobe社のPremiere Pro CS3のキャプチャープログラムを使用して自動的に調整する。なお、ビデオキャプチャー２４で処理された動画データは、既にMPEG2形式になっているので、圧縮形式の変換の必要はない。
【００３３】
また、所定の再生時間とは、１５秒、３０秒、６０秒のいずれかとし、動画加工処理の最初にオペレータがいずれの時間にするかを指定（すなわち、動画加工装置１に入力）するものとする。動画加工装置１は、販促用ファイルの再生時間（すなわち、記録時間）が指定された時間となるように、動画データの終わりの部分をカットして販促用ファイルを作成する。なお、動画データが不足の場合は不足のままとする。
【００３４】
また、販促用ファイルに付加するファイル名には、例えば作成順に001xxx.mpg、002xxx.mpg、…というように、先頭に番号を付する。
【００３５】
〔ＤＶＤでビデオ方式の場合〕元データ記録媒体がＤＶＤであって動画データがビデオ方式（ＩＳＯ方式）で記録されている場合、動画加工装置１は図５に従って動作する。オペレータは、ＤＶＤをＤＶＤ読取装置２０に挿入する（ステップＳ１０１）。すると、ＤＶＤ読取装置２０は、動画データの記録方式がビデオ方式かデータ方式（すなわち、MPEG、AVI等、コンピュータで処理可能な方式）かを判断し、ビデオ方式であるので、そのＤＶＤからすべての動画データを読取ってビデオキャプチャー２４に渡し、ビデオキャプチャー２４は、動画データをMPEG2形式に変換する。動画加工装置１は、変換された動画データを記憶装置１４に記憶する（動画データの読込み）（Ｓ１０２）。なお、ＤＶＤ読取装置２０は、ＤＶＤに記録されている信号に基づいて、動画が記録されている部分か否かを判断し、ビデオキャプチャー２４は、空白域から次の空白域までを一連の動画データとして１つのMPEG2ファイルに変換する。以下、動画加工装置１は、ステップＳ１０３〜１０５において、上述した〔ビデオテープの場合〕と同様にして販促用ファイルを作成するので、その説明を省略する。
【００３６】
〔ＤＶＤでデータ方式の場合〕元データ記録媒体がＤＶＤであって動画データがデータ方式で記録されている場合、動画加工装置１は図６に従って動作する。オペレータが、ＤＶＤをＤＶＤ読取装置２０に挿入すると（ステップＳ２０１）、ＤＶＤ読取装置２０は、動画データの記録方式がビデオ方式かデータ方式かを判断し、データ方式であるので、未処理の動画データがあるか否かの判断に移り（Ｓ２０２）、未処理の動画データがあれば、その動画データ（すなわち、MPEG2ファイル等の動画ファイル）をＤＶＤから読取る。なお、動画ファイルか否かは拡張子で判断する。動画加工装置１は、読取った動画データを記憶装置１４に記憶する（動画データの読込み）（Ｓ２０３）。
【００３７】
次に、動画加工装置１は読込んだ動画データを、所定の形式と所定の再生時間を有する販促用ファイルに加工し（Ｓ２０４）、ファイル名を付加する（Ｓ２０５）。所定の形式及び再生時間やファイル名は、上述した〔ビデオテープの場合〕と同様とする。なお、MPEG2形式以外の動画データは、MPEG2形式に変換する。
【００３８】
そして、動画加工装置１は、次の未処理の動画データがあるか否かの判断を行い（Ｓ２０２）、あると判断すれば、上述したように、その動画データをＤＶＤから読込んで販促用ファイルを作成し（Ｓ２０３〜Ｓ２０５）、ないと判断すれば、動画加工処理を終える。
【００３９】
〔ＳＤカードの場合〕元データ記録媒体がＳＤカードの場合、動画加工装置１は図６に従って動作する。オペレータが、ＳＤカードをＳＤカードリーダ２３に挿入すると（ステップＳ２０１）、ＳＤカードリーダ２３は、未処理の動画データがあるか否かを判断し（Ｓ２０２）、あればその動画データ（すなわち、MPEG2ファイル等の動画ファイル）をＤＶＤから読取る。なお、動画ファイルか否かは拡張子で判断する。動画加工装置１は、読取った動画データを記憶装置１４に記憶する（動画データの読込み）（Ｓ２０３）。
【００４０】
次に、動画加工装置１は、上述した〔ＤＶＤでデータ方式の場合〕と同様に、読込んだ動画データを所定の形式と所定の再生時間を有する販促用ファイルに加工し（Ｓ２０４）、ファイル名を付加する（Ｓ２０５）。
【００４１】
そして、動画加工装置１は、次の未処理の動画データがあるか否かの判断を行い（Ｓ２０２）、あると判断すれば、上述したように、その動画データをＤＶＤから読込んで販促用ファイルを作成し（Ｓ２０３〜Ｓ２０５）、ないと判断すれば、動画加工処理を終える。
【００４２】
以上のように、動画加工装置１は、元データ記録媒体の種類や動画データの記録方式に応じて、動画加工処理を行う。オペレータは、１つの元データ記録媒体に対する動画加工処理が終わったときに、作成された販促用ファイルの数が、１つの販促用ファイル群を構成する所定数に満たなければ、次の元データ記録媒体を動画加工装置１に挿入して、動画加工処理を行わせる。
【００４３】
一方、オペレータは、作成された販促用ファイルの数が、１つの販促用ファイル群を構成する所定数（本実施形態では６０個とする。）以上となれば、ディスプレイ２１に表示される確認画面において、その所定数（６０個）の販促用ファイルを選択する。なお、確認画面には、作成された販促用ファイルのファイル名が、選択可能に一覧表示される。また、オペレータは、選択された販促用ファイルで構成される販促用ファイル群に付すべきファイル群名（フォルダ名）を、入力する。入力するファイル群名は、その販促用ファイル群を用いる動画再生装置３に予め記憶されているファイル群名とする。そして、オペレータは、販促用ファイル群をサーバ５にアップロードするための操作を行う。
【００４４】
動画加工装置１は、オペレータの操作に応じて、選択された販促用ファイルで構成される販促用ファイル群に、入力されたファイル群名を付加して、サーバ５にその販促用ファイル群をアップロードする。サーバ５は、受信した販促用ファイル群を記憶装置に記憶する。
【００４５】
図８を用いて、上述した販促用ファイルの選択からサーバ５へのアップロードまでの処理を説明する。オペレータは、動画加工装置１に表示された確認画面において販促用ファイルを所定数選択する。図８では、001xxx.mpgから060xxx.mpgまで６０個の販促用ファイルを選択するものとする。そして、それらの販促用ファイルで構成される販促用ファイル群は、店舗Ａの動画再生装置３で用いられるものであるため、オペレータは、店舗Ａの動画再生装置３用のファイル群名「groupa」を入力する。すると、動画加工装置１は、001xxx.mpgから060xxx.mpgまでの６０個の販促用ファイルからなる販促用ファイル群に「groupa」という名前を付して、サーバ５にアップロードする。販促用ファイル群groupaは、後述するように、店舗Ａの動画再生装置３によってダウンロードされる。
【００４６】
《動画再生処理》次に、動画再生装置３が行う動画再生処理について、図７に基づいて説明する。動画再生処理に先立って、ユーザはタイマ３６に開始時刻及び終了時刻を設定しておく（すなわち、入力し記憶させておく）。また、動画再生装置３の電源は常時入れておく。
【００４７】
タイマ３６は、開始時刻になると、ＯＮ信号を処理装置３０に入力する。すると、処理装置３０は、ＬＡＮアダプタ３９を介してサーバ５に、予め記憶しておいたファイル群名を送信し、そのファイル群名が付された販促用ファイル群のダウンロードを要求する。これに応じてサーバ５は販促用ファイル群を送信し、動画再生装置３は、販促用ファイル群を受信して記憶装置１４に記憶する（Ｓ１１）。
【００４８】
図８で説明すれば、店舗Ａの動画再生装置３には、ファイル群名「groupa」が記憶されており、動画再生装置３は、サーバ５に販促用ファイル群groupaのダウンロードを要求する。これに応じて、サーバ５は販促用ファイル群groupaを動画再生装置３に送信する。
【００４９】
次に、処理装置３０はタイマ３６からの信号がＯＮか否かを判断し（Ｓ１２）、ＯＮであれば、販促用ファイル群中の最初の販促用ファイルを再生する（Ｓ１３）。すなわち、最初の販促用動画が所定時間（例えば、１５秒）再生される。なお、販促用ファイルの再生順は、ファイル名の先頭の番号が若い順とする。
【００５０】
最初の販促用動画の再生を終えると、処理装置３０は再びタイマ３６からの信号がＯＮか否かを判断し（Ｓ１２）、ＯＮであれば、販促用ファイル群中の次の販促用ファイルを再生する（Ｓ１３）。すなわち、次の販促用動画が所定時間再生される。
【００５１】
同様に、動画再生装置３は、タイマ３６からの信号がＯＮでなくなるまで、順次、販促用ファイルの再生を行う。販促用ファイル群中の全ての販促用ファイルを再生し終わったら、最初の販促用ファイルに戻って再生を繰り返す。
【００５２】
終了時刻になるとタイマ３６はＯＮ信号の出力を止める。動画再生装置３は、タイマ３６からの信号がＯＮでなくなると（Ｓ１２）、販促用ファイルの再生を終了する。
【００５３】
したがって、動画再生装置３は、開始時刻から終了時刻まで、複数の販促用動画を所定時間ずつ再生し続けることとなる。図８の例では、001xxx.mpgから060xxx.mpgまで６０個の販促用ファイルが順次再生され、すなわち、６０種類の販売促進用の動画が順次再生され続けることとなる。各販促用ファイルの再生時間が１５秒であるとすれば、６０個の販促用ファイル全部の再生時間は１５分であるので、１時間に４回繰り返して再生されることとなる。
【００５４】
このように、システムＳ１によれば、動画加工装置１が、元データ記録媒体に記録されている動画データから、所定の形式及び所定の再生時間を有する販促用ファイルを作成するので、販促用ファイルの作成が容易である。そして、動画再生装置３が、複数の販促用ファイルからなるファイル群をダウンロードして、ファイル群中の各販促用ファイルを繰り返し再生するので、動画が記録された記録媒体の差替えを行うことなく、複数の動画を１台の動画再生装置３で再生可能である。このため、店舗側の管理作業負担を増大させることなく、複数の商品等の映像による宣伝が可能である。
【００５５】
また、動画再生装置３が自己の記憶しているファイル群名を用いて、ファイル群を自動的にダウンロードするので、販促用動画が記録された記録媒体の動画再生装置３への装着が不要であり、店舗側の管理作業負担は非常に小さいものとなる。また、複数の動画再生装置３で同じファイル群をダウンロードすることもできるので、容易に複数店舗で同じ宣伝を行うことができる。
【００５６】
さらに、動画再生装置３は、タイマ３６により、開始時刻にファイル群のダウンロードを行って販促用動画の再生を自動的に開始し、終了時刻に再生を自動的に終了するので、店舗側の管理作業負担をより減少させることができる。
【００５７】
〈第２実施形態〉本発明の第２実施形態である販売促進支援システムＳ２について、図面に基づいて説明する。なお、システムＳ１の構成要素に対応するシステムＳ２の構成要素については、同じ符号を用い、その説明を適宜省略する。
【００５８】
システムＳ２は、図９に示すように、動画加工装置１と、複数の動画再生装置３とから構成されている。各動画再生装置３は店舗内に設置されている。
【００５９】
システムＳ２は、図２に示すように、元データ記録媒体に記録された動画データを、動画加工装置１で販促用ファイルに加工して、複数の販促用ファイルをＣＦカード７に記録し、動画再生装置３がＣＦカード７から各販促用ファイルを読み込んで、再生するものである（図２の矢印Ｂの流れ）。なお、元データ記録媒体としては、システムＳ１と同様に、ビデオテープ、ＤＶＤ、及び、ＳＤカードを使用可能である。
【００６０】
動画加工装置１及び動画再生装置３は、システムＳ１の場合と同様に、図３及び図４に示す構成を有しているが、システムＳ２では、ＣＦカードリーダライタ１８及びＣＦカードリーダ３７は必須である。ＣＦカードリーダライタ１８は動画再生装置用記録媒体の書込装置に相当し、ＣＦカードリーダ３７は動画再生装置用記録媒体の読取装置に相当する。一方、システムＳ２では、動画加工装置１及び動画再生装置３がインターネットに接続されている必要はないので、ＬＡＮアダプタ２２及びＬＡＮアダプタ３９は備えなくてもよい。
【００６１】
ＣＦカードリーダライタ１８は、処理装置１０と協働して、販促用ファイルを動画再生装置用記録媒体（ここでは、ＣＦカード７）に記録することにより、複数の販促用ファイルが記録された動画再生装置用記録媒体を作成する手段として機能する。
【００６２】
また、ＣＦカードリーダ３７は、処理装置３０と協働して、ＣＦカード７から各販促用ファイルを読取る手段として機能する。
【００６３】
以上のように構成されたシステムＳ２の動作について、次に説明する。
【００６４】
《動画加工処理》動画加工装置１が行う動画加工処理は、図５、図６に基づいて上述したとおりであるので説明を省略する。オペレータは、作成された販促用ファイルの数が、１つの販促用ファイル群を構成する所定数以上となれば、第１実施形態と同様の確認画面において、所定数の販促用ファイルを選択し、ＣＦカード７に書き込むための操作を行う。なお、ＣＦカード７はＣＦカードリーダライタ１８に挿入しておく。動画加工装置１は、オペレータの操作に応じて、選択された販促用ファイルをＣＦカード７に書き込む。
【００６５】
《動画再生処理》システムＳ２の動画再生装置３が行う動画再生処理について、図１０に基づいて説明する。動画再生処理に先立って、ユーザはタイマ３６に開始時刻及び終了時刻を設定する。動画再生装置３の電源は常時入れておく。また、販促用ファイルが書き込まれたＣＦカード７を、ＣＦカードリーダ３７に装着しておく。
【００６６】
タイマ３６は、開始時刻になると、ＯＮ信号を処理装置３０に入力する。処理装置３０は、タイマ３６からの信号がＯＮか否かを判断し（Ｓ２１）、ＯＮであれば、ＣＦカード７中の最初の販促用ファイルを読込んで（Ｓ２２）再生する（Ｓ２３）。なお、販促用ファイルの読込み順は、ファイル名の先頭の番号が若い順とする。
【００６７】
最初の販促用動画の再生を終えると、処理装置３０は再びタイマ３６からの信号がＯＮか否かを判断し（Ｓ２１）、ＯＮであれば、ＣＦカード７中の次の販促用ファイルを読込んで（Ｓ２２）再生する（Ｓ２３）。
【００６８】
同様に、動画再生装置３は、タイマ３６からの信号がＯＮでなくなるまで、順次、販促用ファイルの読込みと再生を行う。ＣＦカード７中の全ての販促用ファイルを再生し終わったら、ＣＦカード７中の最初の販促用ファイルに戻って再生を繰り返す。
【００６９】
終了時刻になるとタイマ３６はＯＮ信号の出力を止める。動画再生装置３は、タイマ３６からの信号がＯＮでなくなると（Ｓ２１）、販促用ファイルの再生を終了する。
【００７０】
したがって、動画再生装置３は、開始時刻から終了時刻まで、複数の販促用動画を所定時間ずつ再生し続けることとなる。
【００７１】
このように、システムＳ２によれば、システムＳ１と同様に、販促用ファイルの作成が容易である。そして、動画再生装置３が、複数の販促用ファイルが記録された動画再生装置用記録媒体から各販促用ファイルを読込んで繰り返し再生するので、記録媒体の差替えを行うことなく、複数の販促用動画を１台の動画再生装置で再生可能である。このため、店舗側の管理作業負担を増大させることなく、複数の商品等の映像による宣伝が可能である。
【００７２】
また、動画再生装置３は、タイマ３６により、開始時刻に販促用動画の再生を自動的に開始し、終了時刻に再生を自動的に終了するので、店舗側の管理作業負担は非常に小さいものとなる。
【００７３】
〈変形例〉以下、変形例について説明する。
【００７４】
元データ記録媒体として、ＳＤカード以外のメモリカードを用いたり、ＵＳＢメモリを用いたりしてもよい。前者の場合には、動画加工装置１はそのメモリカードの読取装置（リーダ又はリーダライタ）を備え、後者の場合にはＵＳＢポートを備えればよい。このように、動画加工装置１は、元データ記録媒体の種類に応じた読取装置を設けることにより、種々の元データ記録媒体に対応可能であり、種々の元データ記録媒体に記録された販売促進用の動画を、販促用ファイルに加工可能である。
【００７５】
また、動画再生装置用記録媒体として、ＣＦカード７以外のメモリーカード（例えば、ＳＤカード）を用いたり、ＤＶＤを用いたりしてもよい。前者の場合には、動画加工装置１がそのメモリカードの書込装置（ライタ又はリーダライタ）を備えるとともに、動画再生装置３がそのメモリカードの読取装置を備え、後者の場合には、動画加工装置１がＤＶＤの書込装置を備えるとともに、動画再生装置３がＤＶＤの読取装置を備えればよい。このように、動画再生装置用記録媒体も種々のものを用いることができる。
【００７６】
また、販促用ファイルの形式及び再生時間は上記のものに限られず、動画再生装置３が再生可能な形式及び再生時間であればよい。
【００７７】
また、システムＳ１では、動画再生装置３が開始時刻にサーバ５から販促用ファイル群をダウンロードして各販促用ファイルの再生を開始したが、動画再生装置３が予めサーバ５から販促用ファイル群をダウンロードしておき、開始時刻に各販促用ファイルの再生を開始するようにしてもよい。
【００７８】
また、システムＳ２では、動画再生装置３が開始時刻に各販促用ファイルの読取りと再生を開始したが、動画再生装置３が予めＣＦカード７から各販促用ファイルを読取って記憶装置２４に記憶しておき、開始時刻に各販促用ファイルの再生を開始するようにしてもよい。
【００７９】
また、システムＳ１では、販促用ファイル群に１つのフォルダ名を付して（すなわち、販促用ファイル群を１つのフォルダとして）、販促用ファイル群を構成する各販促用ファイルを一括してアップロードしダウンロードしたが、販促用ファイル群に１つのフォルダ名を付すことなく、販促用ファイル群を構成する各販促用ファイルを別々にアップロードしダウンロードしてもよい。すなわち、販促用ファイル群は、複数の販促用ファイルで構成されるものであればよく、必ずしも１つのフォルダになっていなくてもよい。
【００８０】
また、システムＳ２で、販促用ファイルをＣＦカード７に書込むとき、所定数の販促用ファイルを作成しておいて一度に書込むのではなく、販促用ファイルを作成する度にＣＦカード７に書込んで、所定数になったときにそのＣＦカード７への書込みを止めるようにしてもよい。
【００８１】
〈その他効果等〉
システムＳ１、Ｓ２によれば、動画再生装置３を設置する店舗にとっては、小さい管理作業負担で大きな販売促進効果が得られる。また、動画加工装置１による加工サービスを行う会社が、販促用動画（すなわち、ＣＭ）のスポンサー（例えば、商品のメーカー）からＣＭ代（宣伝広告費）を受け取り、それを、動画再生装置３を設置する店舗に設置スペースの賃料として支払うこととすれば、店舗にとっては賃料収入が得られるというメリットもある。
【図面の簡単な説明】
【００８２】
【図１】本発明の第１実施形態に係る販売促進支援システムの構成図である。
【図２】本発明の第１及び第２実施形態の処理の流れを示す図である。
【図３】本発明の第１及び第２実施形態に係る動画加工装置の構成を示すブロック図である。
【図４】本発明の第１及び第２実施形態に係る動画再生装置の構成を示すブロック図である。
【図５】本発明の第１及び第２実施形態に係る動画加工装置の動作を示すフローチャートである。
【図６】本発明の第１及び第２実施形態に係る動画加工装置の動作を示すフローチャートである。
【図７】本発明の第１実施形態に係る動画再生装置の動作を示すフローチャートである。
【図８】本発明の第１実施形態の処理を説明するための図である。
【図９】本発明の第２実施形態に係る販売促進支援システムの構成図である。
【図１０】本発明の第２実施形態に係る動画再生装置の動作を示すフローチャートである。
【符号の説明】
【００８３】
１…動画加工装置
３…動画再生装置
５…サーバ
７…ＣＦカード
１４…記憶装置
１８…ＣＦカードリーダライタ
１９…ビデオテープ読取装置
２０…ＤＶＤ読取装置
２２…ＬＡＮアダプタ
２３…ＳＤカードリーダ
２４…ビデオキャプチャー
３４…記憶装置
３６…タイマ
３７…ＣＦカードリーダ
３８…ディスプレイ
３９…ＬＡＮアダプタ
Ｓ１、Ｓ２…販売促進支援システム
【図１】
2009060516.tif 000003
【図２】
2009060516.tif 000004
【図３】
2009060516.tif 000005
【図４】
2009060516.tif 000006
【図５】
2009060516.tif 000007
【図６】
2009060516.tif 000008
【図７】
2009060516.tif 000009
【図８】
2009060516.tif 000010
【図９】
2009060516.tif 000011
【図１０】
2009060516.tif 000012